(57)【要約】【課題】本発明は、構造が簡単で、多数の焦点調節の能力を持ち、コストが低いカメラ用モーターを提供する。【解決手段】少なくとも２つのレンズモジュールと、各々のレンズモジュールの外周面をそれぞれ囲む永久磁石と、各々の永久磁石の両端にそれぞれ設置される上コイルベース及び下コイルベースと、前記上コイルベース及び下コイルベースにそれぞれ巻き付ける上コイル及び下コイルと、を含み、前記上コイル及び下コイルに通電する場合、前記上コイル及び下コイルに生じる磁場と前記永久磁石の作用力により、レンズモジュールを異なる焦点との間で移動させる。【選択図】図４
2008310288.tif 000002
【特許請求の範囲】
【請求項１】
少なくとも２つのレンズモジュールと、各々のレンズモジュールの外周面をそれぞれ囲む永久磁石と、各々の永久磁石の両端にそれぞれ設置される上コイルベース及び下コイルベースと、前記上コイルベース及び下コイルベースにそれぞれ巻き付ける上コイル及び下コイルと、を含み、
前記上コイル及び下コイルに通電する場合、前記上コイル及び下コイルに生じる磁場と前記永久磁石の作用力により、レンズモジュールを異なる焦点との間で移動させることを特徴とするカメラ用モーター。
【請求項２】
前記カメラ用モータは、互いに重なる２つのレンズモジュールを含むことを特徴とする請求項１記載のカメラ用モーター。
【請求項３】
各々のコイルベースは、前記コイルを巻くための環形壁と、前記環形壁の一端から径方向に沿って外側へ延長して形成される辺部と、を含むことを特徴とする請求項１記載のカメラ用モーター。
【請求項４】
前記永久磁石は、各々のレンズモジュールの上コイルベースの辺部と下コイルベースの辺部との間にそれぞれ設置され、前記レンズモジュールが異なる焦点の位置に置かれる時、前記永久磁石が何れか１つのコイルベースの辺部に当接され、且つ他のコイルベースの辺部との間に一定の間隔が形成されることを特徴とする請求項３記載のカメラ用モーター。
【請求項５】
各々のレンズモジュールにおいて、前記上コイルベース又は下コイルベースに、前記辺部の四隅から他の１つのコイルベースへ延長する複数のガイド壁が形成され、
各々のコイルベースの近隣する２つのガイド壁には、ガイド端子がそれぞれ形成されることを特徴とする請求項３記載のカメラ用モーター。
【請求項６】
前記上コイルベースと下コイルベースの中の少なくとも一方には、方形の底面をさらに含み、前記底面の近隣する２つの隅部にガイド端子がそれぞれ形成されることを特徴とする請求項５記載のカメラ用モーター。
【請求項７】
前記レンズモジュールは、環状の鏡筒と、前記鏡筒の内部に装着されるカメラレンズと、を含み、前記永久磁石は、前記鏡筒の外周面の中部を囲んで設けられることを特徴とする請求項１記載のカメラ用モーター。
【請求項８】
前記鏡筒の外表面には、径方向へ突出した複数の突起が形成され、前記上コイルベースと下コイルベースの中の少なくとも一方には、前記突起と係合する凹槽が形成されることを特徴とする請求項７記載のカメラ用モーター。
【請求項９】
前記カメラ用モーターは、枠体をさらに含み、前記枠体の頂面と底面は、中心に穴がある方形底板であり、前記穴の内縁には、他の方形底板へ延長した４つの方形壁が形成され、前記上コイルベースと下コイルベースには、前記方形壁を収容させる凹部が設けられることを特徴とする請求項１記載のカメラ用モーター。
【請求項１０】
前記カメラ用モーターは、枠体をさらに含み、前記枠体は、２つの側壁を係合して形成される方柱体であり、前記側壁は、互に垂直の２つの壁面と、前記１つの壁面から垂直に延長し他の側壁の壁面と係合する係合部と、を含むことを特徴とする請求項１記載のカメラ用モーター。
【請求項１１】
直線に沿って配置され、且つ互いに重なる少なくとも２つのレンズモジュールを含み、
各々のレンズモジュールは、鏡筒と、前記鏡筒の内に装着されるカメラレンズと、前記鏡筒の外周面を囲む永久磁石と、前記永久磁石の両端にそれぞれ設置される上コイルベース及び下コイルベースと、前記上コイルベース及び下コイルベースにそれぞれ巻き付ける上コイル及び下コイルとを含み、
前記上コイル及び下コイルに通電する場合、前記上コイル及び下コイルに生じる磁場と前記永久磁石の作用力により、前記レンズモジュールを異なる焦点との間で移動させることを特徴とするカメラ用モーター。
【請求項１２】
前記上コイルベースと下コイルベースは、枠体の内に装着され、前記１つのコイルベースから外へ延長しガイド端子が形成され、前記枠体に切欠部が設けられ、前記ガイド端子は前記枠体の切欠部の内に設けられることを特徴とする請求項１１記載のカメラ用モーター。
【発明の詳細な説明】
【技術分野】
【０００１】
本発明は、カメラ用モーターに係わり、特に自動焦点調節構造を有するカメラ用モーターに関する。
【背景技術】
【０００２】
デジタル技術の発展に従って、携帯電話、ＰＤＡ（個人情報端末）などの携帯電子装置が小型化、多機能化の方向へ発展している。携帯電子装置の小型化を実現するために、前記携帯電子装置に用いるデジタルカメラ及びこのデジタルカメラに用いるレンズモジュールを小型化に設計する必要がある。
【０００３】
現在のデジタルカメラの焦点調節構造は、大部分が自動焦点調節構造である。自動焦点調節構造は、イメージセンサーに現れる画像に従って、モーターでレンズを所定の位置へ移動させるものである。前記イメージセンサーは、シーシーディー（Charge Coupled Device，ＣＣＤ）やシーモス（Ｃ―ＭＯＳ）センサーなどを指す。前記レンズが移動する時、前記デジタルカメラに装着される中央処理装置が前記イメージセンサーに現れる画像を検査する。もし前記イメージセンサーに良好な画像が現れると、前記中央処理装置が前記レンズをこの位置に停止させる。即ち、焦点を調節する過程において、ステッピングモーターによって前記レンズが連続に回転しながら移動する。前記イメージセンサーに良好な画像が現れる時、前記中央処理装置の指令によってステッピングモーターが停止し、従って前記レンズが所定の位置に停止する。
【０００４】
しかし、前記レンズを最初の位置へ移動しようとする時、再度ステッピングモーター駆動して、前記レンズを所定の位置から最初の位置へ移動しなければならない。よって、デジタルカメラの使用は不便になる。且つ、前記レンズの焦点を調節する時間が長くなり、電力を浪費し、レンズの構造は複雑になり、コストが高くなる問題もある。
【発明の開示】
【発明が解決しようとする課題】
【０００５】
以上の問題点に鑑み、焦点調節構造が簡単で、コストが低いカメラ用モーターを提供することを目的とする。
【課題を解決するための手段】
【０００６】
少なくとも２つのレンズモジュールと、各々のレンズモジュールの外周面をそれぞれ囲む永久磁石と、各々の永久磁石の両端にそれぞれ設置される上コイルベース及び下コイルベースと、前記上コイルベース及び下コイルベースにそれぞれ巻き付ける上コイル及び下コイルと、を含み、前記上コイル及び下コイルに通電する場合、前記上コイル及び下コイルに生じる磁場と前記永久磁石の作用力により、レンズモジュールを異なる焦点との間で移動させる。
【０００７】
直線に沿って配置され、且つ互いに重なる少なくとも２つのレンズモジュールを含み、各々のレンズモジュールは、鏡筒と、前記鏡筒の内に装着されるカメラレンズと、前記鏡筒の外周面を囲む永久磁石と、前記永久磁石の両端にそれぞれ設置される上コイルベース及び下コイルベースと、前記上コイルベース及び下コイルベースにそれぞれ巻き付ける上コイル及び下コイルとを含み、前記上コイル及び下コイルに通電する場合、前記上コイル及び下コイルに生じる磁場と前記永久磁石の作用力により、前記レンズモジュールを異なる焦点との間で移動させる。
【発明の効果】
【０００８】
従来の技術と比べて、前記カメラ用モータには複数のレンズモジュールを配置することができる。前記上コイル及び下コイルは各々の永久磁石の両側にそれぞれ設置され、上コイル及び下コイルに通電する場合、前記上コイル及び下コイルに磁場が生じる。この磁場と永久磁石の作用力により、各々のレンズモジュールを移動させることができる。従って、分段式焦点調節を実現し、焦点調節構造を簡単にし、コストを削減することができる。
【発明を実施するための最良の形態】
【０００９】
以下、図面を参照しながら、本発明に係る具体実施例の構成を詳細に説明する。
【００１０】
図１を参照しなさい。本発明のカメラ用モーターは、携帯電話やデジタルカメラなどの自動焦点調節構造に装着されて、焦点を調節する。前記カメラ用モーターは、対称に設置する第一レンズモジュール１００と、第二レンズモジュール２００と、を含み、前記第一レンズモジュール１００と第二レンズモジュール２００との構造は大体に同じである。図２と図３を参照すると前記第一レンズモジュール１００と第二レンズモジュール２００は、別々に枠体１０と、前記枠体１０の内に装着されるカメラレンズ１１と、前記カメラレンズ１１を囲む永久磁石１２と、前記永久磁石１２の両端にそれぞれ設置される上コイルベース１５ａ及び下コイルベース１５ｂと、所定の方向に沿って前記上コイルベース１５ａ及び下コイルベース１５ｂにそれぞれ巻き付いている上コイル１４ａ及び下コイル１４ｂとを含む。
【００１１】
前記枠体１０は、方形体である。この内部には、前記カメラレンズ１１と、前記永久磁石１２と、前記上コイル１４ａ及び下コイル１４ｂがそれぞれ巻かれている前記上コイルベース１５ａ及び下コイルベース１５ｂを収容する方形の収容空間が形成されている。前記枠体１０の側面は、構造が同じである２つの側壁１０ａ及び１０ｂが係合して形成され、各々の側壁１０ａ及び１０ｂは、互いに直交する壁面１０１及び１０２と、前記壁面１０２から垂直に延長して形成される係合部１０３と、を含む。前記側壁１０ａ及び１０ｂの係合部１０３は、他の側壁１０ａ及び１０ｂの壁面１０１とそれぞれ接続されている。前記枠体１０の底端の四隅には、４つの切欠部１０４が形成されている。前記枠体１０の頂面と底面には、中心に穴１０５が設けられている方形底板１０ｃ及び１０ｄが設置されている。前記穴１０５は、八角形であり、且つ方形底板１０ｃ及び１０ｄの四隅に位置する内縁には、垂直に曲がる４つの方形壁１０６が形成されている。前記方形底板１０ｄの隣接する２つの隅部には、２つの面取り１０８がそれぞれ形成されている。
【００１２】
前記カメラレンズ１１は、環状の鏡筒１１０と、前記鏡筒１１０の内に装着されるレンズ１１２ａと、を含む。前記永久磁石１２は、前記鏡筒１１０の外周面を囲み、鏡筒１１０の略中央に配置されている。前記永久磁石１２の下面の接する前記鏡筒１１０の外周面には、径方向へ凸形状の、軸線方向に平行する４つの突起１１４が形成されている。前記４つの突起１１４は、円周に沿って等角に設置されている。前記第二レンズモジュール２００の構造は、前記第一レンズモジュール１００の構造と大体に同じであり、異なる点は、前記第二レンズモジュール２００のカメラレンズ１１がレンズ１１２ｂをさらに含む点である。前記レンズモジュール１００及び２００で、前記カメラレンズ１１と前記永久磁石１２が一体に構成されて、カメラを駆動する時は、一緒に移動しながら、前記レンズ１１２ａとレンズ１１２ｂとの間の距離を調節し、カメラの焦点を調節する。
【００１３】
前記上コイルベース１５ａと下コイルベース１５ｂは、鉄などのような磁性材料で製造され、前記上コイル１４ａと下コイル１４ｂに生じる磁場を強める作用を奏する。前記上コイルベース１５ａの中心には、円柱形の収容部１５０が形成され、前記コイル１４ａが巻かれる環形壁１５２ａと、前記環形壁１５２ａの底端から径方向へ延長して形成される辺部１５３ａと、前記辺部１５３ａの四隅から垂直に下コイルベース１５ｂへ延長して形成される４つのガイド壁１５４ａと、近隣する２つのガイド壁１５４ａに形成される長方形の２つのガイド端子１５１ａと、を含む。前記環形壁１５２ａの内表面には、前記枠体１０の方形底板１０ｃの方形壁１０６と係合する方形の凹部１５７ａが形成されている。
【００１４】
前記下コイルベース１５ｂの構造は前記上コイルベース１５ａの構造と大体に同じである。即ち、中心に円柱体である収容部１５０が形成され、前記コイル１４ｂが巻かれる環形壁１５２ｂと、前記環形壁１５２ｂの頂端から径方向へ延長して形成される辺部１５３ｂと、前記辺部１５３ｂの四隅から垂直に前記上コイルベース１５ａへ延長して形成される４つのガイド壁１５４ｂと、近隣する２つのガイド壁１５４ｂに形成される長方体の２つのガイド端子１５１ｂと、を含む。前記環形壁１５２ｂの内表面には、前記枠体１０の方形底板１０ｄの方形壁１０６と係合する方形の凹部１５７ｂが形成されている。
【００１５】
異なる点は、前記下コイルベース１５ｂが方形の底面１５９をさらに含む点である。前記底面１５９は、環形壁１５２ｂの底端から水平の外側へ延長して形成され、且つガイド端子１５１ｂと対応する位置にガイド端子１５１ｃが形成されている。前記上下コイルベースを組み立てる時、前記上コイルベース１５ａのガイド壁１５４ａが前記下コイルベース１５ｂのガイド壁１５４ｂの外周面を囲み、前記上コイルベース１５ａのガイド壁１５４ａの２つのガイド端子１５１ａが前記下コイルベース１５ｂのガイド壁１５４ｂの２つのガイド端子１５１ｂ及び前記下コイルベース１５ｂの底面１５９の２つのガイド端子１５１ｃとそれぞれ対応するように、前記上コイルベース１５ａを前記下コイルベース１５ｂに装着する。且つ、前記下コイルベース１５ｂのガイド壁１５４ｂの内表面には、円周方向に沿って等角に配置される４つの凹槽１５５が形成されている。この凹槽１５５のサイズ、形状及び位置は、前記鏡筒１１０の外表面に形成される突起１１４のサイズ、形状及び位置と対応する。又、前記凹槽１５５は、前記凹部１５７ｂと交互に配置され、間隔をあけて並べられている。
【００１６】
前記上コイル１４ａと下コイル１４ｂは、所定の方向に沿って前記環形壁１５２ａと環形壁１５２ｂの外表面にそれぞれ巻かれている。前記上コイル１４ａと下コイル１４ｂの端末は、前記端子１５１ａ、１５１ｂに電気接続され、且つ前記下コイルベース１５ｂの底面１５９のガイド端子１５１ｃを介してカメラの電源（図示せず）と電気接続される。前記上コイル１４ａと下コイル１４ｂに電気を加えると、磁場が生じ、上コイル１４ａと下コイル１４ｂに流れる電流方向を変えると、上コイルベース１５ａと下コイルベー１５ｂの両端の極性が変わる。焦点を調節する際は、磁場によって前記永久磁石１２が前記上コイルベース１５ａの辺部１５３ａまたは下コイルベース１５ｂの辺部１５３ｂに直接に接触する。本実施形態で、前記上コイル１４ａと下コイル１４ｂに電気を加える時、両者に極性が反対の磁場が生じる。
【００１７】
前記カメラ用モーターを組み立てる時、先ず、前記永久磁石１２を前記鏡筒１１０の外表面の軸線中部に装着し、前記上コイルベース１４ａと下コイルベース１４ｂを前記永久磁石１２の両端にそれぞれ装着する。すると、前記鏡筒１１０の底端の突起１１４が前記下コイルベース１４ｂの環形壁１５２ｂの凹槽１５５に収容され、前記カメラレンズ１１が前記凹槽１５５に沿って移動するように案内される。前記上コイルベース１５ａの環形壁１５２ａと下コイルベース１５ｂの環形壁１５２ｂは、前記鏡筒１１０の外表面に接続される。前記上コイルベース１５ａのガイド壁１５４ａは、前記下コイルベース１５ｂのガイド壁１５４ｂの外周面と囲み、前記上コイルベース１５ａのガイド壁１５４ａと、前記下コイルベース１５ｂのガイド壁１５４ｂと、前記辺部１５３a及び１５３bによって、前記永久磁石１２が収容される空間が形成される。
【００１８】
次に、前記枠体１０の側壁１０ａを側壁１０ｂと係合させ、前記方形底板１０ｃの方形壁１０６と方形底板１０ｄの方形壁１０６を前記上コイルベース１５ａの凹部１５７ａと前記下コイルベース１５ｂの凹部１５７ｂにそれぞれ収容させる。すると、前記カメラレンズ１１、前記永久磁石１２、前記上コイルベース１５ａ及び前記下コイルベース１５ｂは、一緒に前記枠体１０の内部に収容され、前記方形底板１０ｄに形成されている面取り１０８は、前記下コイルベース１５ｂのガイド端子１５１ｃと対応する。且つ、前記枠体１０の底端の切欠部１０４は、前記方形底板１０ｄの四隅と対応し、前記ガイド端子１５１ｃは、前記面取り１０８及び切欠部１０４を介して前記枠体１０の外部に露出する。前記上コイル１４ａと下コイル１４ｂは、所定の方向に沿って前記上コイルベース１５ａと下コイルベース１５ｂの外表面にそれぞれ巻かれ、且つ、前記ガイド端子１５１ｃを介してカメラの内部の電源に電気接続される。前記第一レンズモジュール１００と第二レンズモジュール２００は対向に設置され、前記第一レンズモジュール１００の方形底板１０ｄと第二レンズモジュール２００の方形底板１０ｄは互いに重なり、前記ガイド端子１５１ｃは前記枠体１０の切欠部１０４から外部に露出する。
【００１９】
デジタルカメラを使う時、前記カメラレンズ１１と前記永久磁石１２が一体に構成され、前記上コイルベース１５ａと前記下コイルベース１５ｂとの間に移動しながら、焦点を調節する。図４と図５は、カメラ用モーターが焦点Ａと焦点Ｂの位置に置かれる状態をそれぞれ示す断面図である。焦点Ａの位置に置かれる時、前記第一レンズモジュール１００と第二レンズモジュール２００との間の距離が最も遠く、焦点Ｂの位置に置かれる時、前記第一レンズモジュール１００と第二レンズモジュール２００との間の距離が最も近い。
【００２０】
本実施形態において、前記第一レンズモジュール１００の永久磁石１２の上方がＮ極であり、下方がＳ極であり、前記第二レンズモジュール２００の永久磁石１２の上方がＳ極であり、下方がＮ極である。前記各々のレンズモジュールの２つのコイル１４ａ及び１４ｂには、方向が反対する磁場がそれぞれ生じる。
【００２１】
図５に示したように、カメラレンズが焦点Ｂの位置に置かれた時、前記上コイル１４ａ及び下コイル１４ｂに通電させると、各々のレンズモジュールの２つのコイル１４ａ及び１４ｂに方向が反対される磁場がそれぞれ生じる。即ち、前記第一コイルベース１００の上コイル１４ａの上方がＮ極になり、下方がＳ極になり、下コイル１４ｂの上方がＳ極になり、下方がＮ極になる。且つ、前記第二コイルベース２００の上コイル１４ａの上方がＳ極になり、下方がＮ極になり、下コイル１４ｂの上方がＮ極になり、上方がＳ極になる。図４に示すと、前記永久磁石１２に近接する各々のレンズモジュールの２つのコイル１４ａ及び１４ｂの一端が皆Ｓ極であるから、前記上コイル１４ａと前記永久磁石１２が互いに引き合い、前記下コイル１４ｂと前記永久磁石１２が互いに反発する。この作用力によって、前記各々のレンズモジュールのカメラレンズ１１と永久磁石１２が一緒に前記上コイルベース１５ａの位置へ移動し、各々のコイルベースの永久磁石１２が対応する上コイルベース１５ａの辺部１５３ａに当接されて停止する。即ち、カメラレンズが焦点Ｂから焦点Ａまで移動し、前記第一レンズモジュール１００のレンズ１１２ａと第二レンズモジュール２００のレンズ１１２ｂとの間の距離が最も遠くなる。
【００２２】
前記レンズモジュールが焦点Ａの位置に到達した後、前記上コイル１４ａと下コイル１４ｂの電気を停電すると、前記上コイルベース１５ａと下コイルベース１５ｂの磁場が失わられる。しかし、前記下コイルベース１５ｂを鉄などの磁性材料で製造したことで、前記永久磁石１２が前記上コイルベース１５ａを引き合わせる状態が維持される。従って、前記レンズモジュールに電力を供給しなくても、前記レンズモジュールは焦点Ａの位置に引き続き停止していることができる。
【００２３】
反対に、前記カメラ用モーターを焦点Ａから焦点Ｂへ移動させる際は、各々のレンズモジュール１００及び２００に装着される前記上コイル１４ａ及び下コイル１４ｂの電流方向を逆転させる。すると、前記上コイル１４ａ及び下コイル１４ｂに生じる磁場の方向が反対になる。前記永久磁石１２に近接する各々のレンズモジュールのコイル１４ａ及び１４ｂの一端が皆Ｎ極であるから（図５に示したように）、前記上コイル１４ａと前記永久磁石１２が互いに反発し、前記下コイル１４ｂと前記永久磁石１２が互いに引き合う。この作用力によって、前記各々のレンズモジュールのカメラレンズ１１と永久磁石１２が一緒に前記下コイルベース１５ｂの位置へ移動し、各々のコイルベースの永久磁石１２が対応する下コイルベース１５ｂの辺部１５３ｂに当接する位置に停止する。即ち、カメラレンズが焦点Ａから焦点Ｂまで移動し、前記第一レンズモジュール１００のレンズ１１２ａと第二レンズモジュール２００のレンズ１１２ｂとの間の距離が最も近くなる。
【００２４】
前記レンズモジュールが焦点Ｂの位置に到達した後、前記上コイル１４ａと下コイル１４ｂの電気を停電すると、前記上コイルベース１５ａと下コイルベース１５ｂの磁場が失われる。しかし、前記下コイルベース１５ｂを鉄などの磁性材料で製造したことで、前記永久磁石１２が前記上コイルベース１５ａを引き合わせる状態が維持される。従って、前記レンズモジュールに電力を供給しなくても、前記レンズモジュールは遠焦点Ｂの位置に引き続き停止していることができる。
【００２５】
前記第一レンズモジュール１００と第二レンズモジュール２００のカメラレンズ１１は移動に関して別々に制御することができる。例えば、カメラ用モーターが焦点Ａ（図４に示す）の位置に置かれる時、前記第一レンズモジュール１００の上コイル１４ａ及び下コイル１４ｂの電流方向だけを逆転させ、前記第二レンズモジュール２００の上コイル１４ａ及び下コイル１４ｂの電流方向を逆転させないと、前記第一レンズモジュール１００の上コイル１４ａ及び下コイル１４ｂに生じる磁場の方向が変わる。この時、前記永久磁石１２に近接する前記第一レンズモジュール１００のコイル１４ａ及び１４ｂの一端が皆Ｎ極になり、前記第一レンズモジュール１００の上コイル１４ａと前記永久磁石１２が互いに反発し、前記第一レンズモジュール１００の下コイル１４ｂと前記永久磁石１２が互いに引き合う。この作用力によって、前記第一レンズモジュール１００のカメラレンズ１１と永久磁石１２が一緒に前記下コイルベース１５ｂの位置へ移動し、下コイルベース１５ｂの辺部１５３ｂと当接する位置に停止する。
【００２６】
前記第二レンズモジュール２００の上コイル１４ａ及び下コイル１４ｂに生じた磁場の方向が変わらず、前記永久磁石１２に近接する前記第二レンズモジュール２００のコイル１４ａ及び１４ｂの一端が皆Ｓ極であるので、前記第二レンズモジュール２００のカメラレンズ１１が、相変わらず前記永久磁石１２が対応する下コイルベース１５ｂの辺部１５３ｂと当接する位置に置かれている（図６を参照）。ここで、この状態を焦点Ｃと言う。
【００２７】
又は、カメラ用モーターが焦点Ａ（図４に示す）の位置に置かれる時、前記第二レンズモジュール２００の上コイル１４ａ及び下コイル１４ｂの電流方向だけを逆転させ、前記第一レンズモジュール１００の上コイル１４ａ及び下コイル１４ｂの電流方向を逆転させないと、前記第二レンズモジュール２００の上コイル１４ａ及び下コイル１４ｂに生じる磁場の方向が変わる。この時、前記永久磁石１２に近接する前記第二レンズモジュール２００のコイル１４ａ及び１４ｂの一端が皆Ｎ極になり、前記第二レンズモジュール２００の上コイル１４ａと前記永久磁石１２が互いに反発し、下コイル１４ｂと前記永久磁石１２が互いに引き合う。この作用力によって、前記第二レンズモジュール２００のカメラレンズ１１と永久磁石１２が一緒に前記下コイルベース１５ｂの位置へ移動し、下コイルベース１５ｂの辺部１５３ｂと当接する位置に停止する。
【００２８】
前記第一レンズモジュール１００の上コイル１４ａ及び下コイル１４ｂに生じた磁場の方向が変わらず、前記永久磁石１２に近接する前記第一レンズモジュール１００のコイル１４ａ及び１４ｂ一端が皆Ｓ極であるので、前記第一レンズモジュール１００のカメラレンズ１１が、相変わらず前記永久磁石１２が対応する下コイルベース１５ｂの辺部１５３ｂと圧接する位置に置かれている（図６を参照）。ここで、この状態を焦点Ｄという。
【００２９】
前記カメラ用モーターは多数のカメラレンズ１１を支持することができ、多数のコイルベース１５ａ及び１５ｂの磁場作用力によって、各々のレンズ１１が同時或いは別々に、焦点Ａ、Ｂ、Ｃ、Ｄの位置に移動され、多数の焦点調節の効果を達成することができる。分段式のレンズ１１の組み合わせを採用し、カメラ用モーターの焦点調節の行程を増やし、信頼性を向上させ、電力を節約することができる。
【図面の簡単な説明】
【００３０】
【図１】本発明によるカメラ用モーターの最良の実施形態の組立図である。
【図２】図１に示す第一レンズモジュールの分解図及び第二レンズモジュールの組立図である。
【図３】図１に示す第一レンズモジュールの組立図及び第二レンズモジュールの分解図である。
【図４】図１に示すカメラ用モーターが焦点Ａの位置にある状態を示す断面図である。
【図５】図１に示すカメラ用モーターが焦点Ｂの位置にある状態を示す断面図である。
【図６】図１に示すカメラ用モーターが焦点Ｃの位置にある状態を示す断面図である。
【図７】図１に示すカメラ用モーターが焦点Ｄの位置にある状態を示す断面図である。
【符号の説明】
【００３１】
１０                枠体
１０ａ              側壁
１０ｂ              側壁
１０ｃ              方形底板
１０ｄ              方形底板
１１                カメラレンズ
１２                永久磁石
１４ａ              上コイル
１４ｂ              下コイル
１５ａ              上コイルベース
１５ｂ              下コイルベース
１００              第一レンズモジュール
１０１              壁面
１０２              壁面
１０３              係合部
１０４              切欠部
１０５              穴
１０６              方形壁
１０８              面取り
１１０              鏡筒
１１２ａ            レンズ
１１２ｂ            レンズ
１１４              突起
１５０              収容部
１５１ａ            ガイド端子
１５１ｂ            ガイド端子
１５１ｃ            ガイド端子
１５２ａ            環形壁
１５２ｂ            環形壁
１５３ａ            辺部
１５３ｂ            辺部
１５４ａ            ガイド壁
１５４ｂ            ガイド壁
１５５              凹槽
１５７ａ            凹部
１５７ｂ            凹部
１５９              底面
２００              第二レンズモジュール
【図１】
2008310288.tif 000003
【図２】
2008310288.tif 000004
【図３】
2008310288.tif 000005
【図４】
2008310288.tif 000006
【図５】
2008310288.tif 000007
【図６】
2008310288.tif 000008
【図７】
2008310288.tif 000009